(57)【特許請求の範囲】
【請求項１】
建設中の現場へ搬入設置される機器の情報である、機器の種類と当該機器の施工図上の平面図アドレスと制御ネットワークアドレスである仮想ネットワークＩＤと認識番号と、を各行に記載する管理台帳に対して、前記各行に各記載情報を記入する管理台帳の一次作成をおこなうステップと、
３枚のバーコードシールに同一の実機器特定ＩＤ情報が書込まれたバーコードを予め工場にて貼付けてある前記各機器を前記現場に搬入設置した際に、前記３枚のバーコードシールの内から１枚を剥がして、前記管理台帳の当該機器の情報が記載されている前記各行の所定の欄に貼付けることで施工時の管理台帳の作成完了を行うステップと、
制御ネットワーク上のデータ通信、施工図上の平面図アドレスや仮想ネットワークＩＤである前記各機器のアドレス情報、仮想機器のネットワーク接続情報、及び仮想ネットワークの制御情報を含むソフトウエア上の仮想ネットワークファイルである施工データファイルを、現場外の端末を用いて仮想ネットワーク及び仮想機器を繋ぎ作成するステップと、
作成完了した前記施工時の管理台帳に貼付しているバーコードシールからバーコードリーダにより前記各機器の実機器特定ＩＤの情報を読み取り前記現場外の端末に転送することで、前記仮想ネットワーク上の仮想機器と実際の前記各機器とを関連付けて実機器が制御ネットワークにて作動可能なように施工データファイルを完成させるステップと、
現場に設置された前記各機器の運転制御を行うための制御ネットワーク情報となっている完成した施工データファイルを現場の端末にインストールするステップと、
前記制御ネットワーク情報を現場の端末から制御ネットワークを介して前記各機器へ転送して各機器を稼働し得る状態にするステップと、
前記現場の端末により機器の調整運転を行なう際に、当該機器に貼付けてあるバーコードから更に１枚のバーコードシールを剥がして、前記施工時の管理台帳の調整運転を行った機器の情報が記入されている行の所定の欄に貼付けて管理台帳を完成させるステップと、
を経ることを特徴とする機器の施工方法。
【請求項２】
請求項１に記載の機器の施工方法において、
現場の端末により機器の調整運転を行う際に、当該機器が管理台帳に記入された所定のアドレスにない場合には、前記施工時の管理台帳のアドレスを修正した後現場に設置した機器の調整運転を行なうことを特徴とする機器の施工方法。
【請求項３】
請求項１又は２に記載の機器の施工方法において、
前記各機器を前記現場に搬入した際に、管理台帳に記載された機器の認識番号を表記した認識番号用シールを、対象となる機器表面の、作業者が下から見える位置に貼付けることを特徴とする機器の施工方法。
【発明の詳細な説明】
【０００１】
【発明の属する技術分野】
本発明は機器の施工方法に関するものである。
【０００２】
【従来の技術】
例えば、空調工事のファンコイルユニット（ＦＣＵ）やバリアブルエアボリューム（ＶＡＶ）等の端末機器の施工においては、機器の管理台帳を用意しておくと共に、同一の情報が書込まれた２枚のバーコードシールを備えたバーコードを現地に搬入される機器に貼付けておき、現地での機器設置後に、バーコードからバーコードシールを１枚剥いで、管理台帳の前記機器についての情報が記入されている行に設けてあるバーコードシール貼付位置に貼付け、どの機器が施工図上のどの位置へ設置されたか把握するようにしている。
【０００３】
【発明が解決しようとする課題】
しかしながら、従来は機器の搬入設置時と施工完了前の機器調整運転時では、機器設置位置の施工間違いや機器搬入設置後の施主よりのレイアウト変更等が原因して機器の設置位置が異なり、施工図上の所定位置に予定された機器がないことがある。而して、斯かる状態は施工完了前の機器調整運転時に不便なだけでなく、その後の調整、メンテナンスにおいても不便である。従って、施工された機器の設置位置を正確に把握し得るようにすることが必要である。
【０００４】
本発明は、斯かる実情に鑑み、機器の設置位置を正確に把握し得るようにした機器の施工方法を提供することを目的としてなしたものである。
【０００５】
【課題を解決するための手段】
本発明の機器の施工方法は、建設中の現場へ搬入設置される機器の情報である、機器の種類と当該機器の施工図上の平面図アドレスと制御ネットワークアドレスである仮想ネットワークＩＤと認識番号と、を各行に記載する管理台帳に対して、前記各行に各記載情報を記入する管理台帳の一次作成をおこなうステップと、
３枚のバーコードシールに同一の実機器特定ＩＤ情報が書込まれたバーコードを予め工場にて貼付けてある前記各機器を前記現場に搬入設置した際に、前記３枚のバーコードシールの内から１枚を剥がして、前記管理台帳の当該機器の情報が記載されている前記各行の所定の欄に貼付けることで施工時の管理台帳の作成完了を行うステップと、
制御ネットワーク上のデータ通信、施工図上の平面図アドレスや仮想ネットワークＩＤである前記各機器のアドレス情報、仮想機器のネットワーク接続情報、及び仮想ネットワークの制御情報を含むソフトウエア上の仮想ネットワークファイルである施工データファイルを、現場外の端末を用いて仮想ネットワーク及び仮想機器を繋ぎ作成するステップと、
作成完了した前記施工時の管理台帳に貼付しているバーコードシールからバーコードリーダにより前記各機器の実機器特定ＩＤの情報を読み取り前記現場外の端末に転送することで、前記仮想ネットワーク上の仮想機器と実際の前記各機器とを関連付けて実機器が制御ネットワークにて作動可能なように施工データファイルを完成させるステップと、
現場に設置された前記各機器の運転制御を行うための制御ネットワーク情報となっている完成した施工データファイルを現場の端末にインストールするステップと、
前記制御ネットワーク情報を現場の端末から制御ネットワークを介して前記各機器へ転送して各機器を稼働し得る状態にするステップと、
前記現場の端末により機器の調整運転を行なう際に、当該機器に貼付けてあるバーコードから更に１枚のバーコードシールを剥がして、前記施工時の管理台帳の調整運転を行った機器の情報が記入されている行の所定の欄に貼付けて管理台帳を完成させるステップと、
を経るものである。
【０００６】
又、本発明の機器の施工方法は、現場の端末により機器の調整運転を行う際に、当該機器が管理台帳に記入された所定のアドレスにない場合には、前記施工時の管理台帳のアドレスを修正した後現場に設置した機器の調整運転を行なうものである。
【０００７】
本発明の機器の施工方法においては、前記各機器を前記現場に搬入した際に、管理台帳に記載された機器の認識番号を表記した認識番号用シールを、対象となる機器表面の、作業者が下から見える位置に貼付けるものである。
【０００９】
本発明によれば、機器設置位置の施工間違いや機器搬入設置後の施主よりのレイアウト変更等が原因して機器の設置位置が異なり、施工図上の所定位置に予定された機器がない場合でも、機器の調整運転時に管理台帳の平面的なアドレスの修正を行うことができるため、施工された機器の設置位置を正確に把握することができ、従って、その後の機器の調整やメンテナンスを行う際にも便利である。
【００１０】
【発明の実施の形態】
以下、本発明の実施の形態を図示例と共に説明する。
【００１１】
図１〜図９は本発明を実施する形態の一例である。
【００１２】
図１は、本発明の方法を行う際に用いる施工図の平面図で、施工図１には、横方向をＸ軸、縦方向をＹ軸として座標ＯＹ１０、ＯＹ１１、ＯＹ１３・・・，ＯＸ３、ＯＸ４・・・が書込まれている。又、施工図１には例えばバリアブルエアボリューム（ＶＡＶ）等、施工される各機器２，３，４等が記入されている。
【００１３】
図２は本発明の方法を行う際に用いる管理台帳の平面図であり、管理台帳５には複数の行が設けられ、各行には、施工される機器の設置されるフロア、系統、機器の種類、施工図上の平面図アドレス（座標）が記入し得るようになっている。
【００１４】
又、管理台帳５の各行には、ドメインＩＤ，サブネットＩＤ，ノードＩＤを一組とした制御ネットワークアドレスが仮想ネットワークＩＤとして記入されるようになっている。制御ネットワークはＬａｎと同様、コンピュータネットワークの一種で、制御ネットワークアドレスは、インテリジェントゲートウェイを介して中央監視装置等の上位コントローラにより機器を特定するために必要なものである。
【００１５】
更に、管理台帳５の各行には、各機器毎に実機器特定ＩＤ等の情報が書込まれたバーコードシールを貼付けるための欄が一つの行に対し上下２箇所ずつ設けられている。而して、上の欄は機器の施工時に貼付ける欄であり、下の欄は、機器の調整運転後に貼付ける欄である。
【００１６】
更に又、管理台帳５の各行には、機器の認識番号を記入する欄が設けられている。
【００１７】
図３は本発明の方法を行う際に用いるバーコードの平面図であり、バーコード６は、同一の情報が書込まれた３枚のバーコードシール６ａが台紙に対し剥がし得るよう貼付けられている。而して、バーコードシール６ａのうち１枚は設置された機器に貼付けられたままで、他の２枚は剥がして管理台帳５のバーコードシールを貼付けるための欄に貼付け得るようになっている。バーコードシール６ａに書込まれている情報は、バーコードシール６ａが貼付けられていた機器の仕様、性能等、実機器特定ＩＤである。
【００１８】
図４は本発明の方法を行う際に用いる認識番号用シールの平面図であり、認識番号用シール７は台紙から剥がして現場に設置された実際の機器に貼付け得るようになっている。
【００１９】
図５は本発明の方法において、機器を室内の所定の位置に設置した状態を示す斜視図で、図中、８は施工図に従い室内９の所定位置に設置された機器である。機器８としては、ＶＡＶの他にインテリジェントゲートウェイ（ＩＧ）、エアハンドリングユニット（ＡＨＵ）、エアバランシングユニット（ＡＢＵ）、ファンコイルユニット（ＦＣＵ）等がある。
【００２０】
図６は本発明の方法においてバーコードリーダにより、管理台帳の各機器に対応して行の上欄に貼付けたバーコードシールの情報を読取る状態を示す斜視図で、図中、１０は現場で作成された管理台帳５に貼付けられたバーコードシール６ａ，６ａ’の情報を読取るためのバーコードリーダである。
【００２１】
図７は本発明の方法において、バーコードリーダで読取られた情報を現場以外の場所、例えば、サポートセンタにあるパソコンに転送する状態を示す斜視図で、図中、１１はサポートセンタにあるパソコンである。而して、施工データファイルを作成する際に、パソコン１１にはバーコードリーダ１０に読取られた情報をインプットし得るようになっている。
【００２２】
図８は本発明の方法において、設置された機器を調整する際に現場のパソコンにより制御ネットワークを介し設置された各機器に指令を与える状態を示す斜視図で、図中、１２は現場のパソコン、１３はパソコン１２からの指令を各機器２，３，４，８に与えるための制御ネットワークである。
【００２３】
図９は本発明の方法において、各機器の調整運転終了後に管理台帳の各機器に対応した行の下欄に機器の実際の設置位置を特定するためにバーコードシールを貼付けた状態を示す斜視図であり、図中、前記各図に示す符号と同一のものには同一の符号が付してある。
【００２４】
次に、本発明の方法の具体的な手順について、上述の図１〜図９、及び図１０〜図１４のフローチャートを参照しつつ説明する。なお、以下の説明においては、図１〜図９に示されている符号がどの図に示されているか、原則的には言及しない。
【００２５】
本発明の方法は大きく分けて、図１０に示すように、現場における機器の設置時に管理台帳５を作成するステップ（Ｓ１）と、現場外のパソコン１１で施工データファイルを作成するステップ（Ｓ２）と、現場のパソコン１２に制御ネットワークのインストールを行うステップ（Ｓ３）と、現場のパソコン１２により機器の調整運転を行うステップ（Ｓ４）とから成る。
【００２６】
次に図１０に示す各ステップ（Ｓ１）〜（Ｓ４）について詳述する。
【００２７】
Ｉ．現場における機器の設置時に管理台帳５を作成するステップ（Ｓ１）の詳細な手順（図１１参照）
現場における機器の設置時に管理台帳５を作成する際には、先ず、工場において機器２，３，４，８にバーコード６が貼付けられる（ステップ（Ｓ１−１））と共に、管理台帳５の一次作成が行なわれる（ステップ（Ｓ１−２））。管理台帳５の一次作成は、施工図１を参照してフロア、系統、機器の種類、機器番号、平面図アドレス、ドメインＩＤ及びサブネットＩＤ並びにノードＩＤを一組とした制御ネットワークアドレスにより構成される仮想ネットワークＩＤ、認識番号を記入することにより行われるが、各行のバーコードシール６ａを貼付ける欄は上下欄何れも空欄のままとしておく。
【００２８】
認識番号は、系統毎に割付けられる。例えば、一つの系統でＶＡＶがＮ台ある場合には、ＶＡＶには１からＮの認識番号が順次割付けられ、ＡＨＵに（Ｎ＋１）の番号が割付けられ、最後の機器に（Ｎ＋２）の認識番号が割付けられる。
【００２９】
管理台帳５の一次作成が完了したら、次いで、機器２，３，４，８及び管理台帳５を現場へ搬入し（ステップ（Ｓ１−３））、管理台帳５を参照しつつ搬入した順に機器２，３，４，８を所定の位置に設置する（ステップ（Ｓ１−４））。又、機器２，３，４，８を設置した後は各機器２，３，４，８が所定の位置に設置されているか否か、施工図１の平面図上のアドレスにより確認する（ステップ（Ｓ１−５））。
【００３０】
続いて、設置した機器２，３，４，８に貼付けてあるバーコード６よりバーコードシール６ａを１枚剥がし、設置した機器２，３，４，８の実際のアドレスと一致する管理台帳５上の平面図アドレスのある行のうち上欄、すなわち施工時貼付の欄に剥がしたバーコードシール６ａを図６に示すように貼付ける（ステップ（Ｓ１−６））。なお、管理台帳５の行が異なれば、機器が異なるため、貼付けるバーコードシールは異なる情報が書込まれたバーコードシール６ａ’となる。又、設置された各機器２，３，４，８には、作業員が下から見える位置に認識番号用シール７を貼付ける（ステップ（Ｓ１−７））。このように、設置された機器２，３，４，８に認識番号用シール７を貼付けるのは、調整運転時に機器２，３，４，８の実際に設置された機器本体及びその位置と管理台帳５上の当該機器２，３，４，８及びその位置を確認し得るようにするためである。
【００３１】
而して、機器２，３，４，８の設置が全て完了するまでは、ステップ（Ｓ１−４）からステップ（Ｓ１−７）の手順を継続し、全ての機器２，３，４，８の設置が完了することにより、施工時の管理台帳５の作成が完了する（ステップ（Ｓ１−８））。又、施工時の管理台帳５の作成が完了したら、次の施工データファイルの作成に移る。
【００３２】
ＩＩ．施工データファイルを作成するステップ（Ｓ２）の詳細な手順（図１２参照）
施工データファイルの作成は現場以外の場所、例えばサポートセンタで行われるが、その際には、データファイル作成場所には１セットの標準システム或いは実機器を予め搬入しておく。標準システムとしては、基本的には夫々の機器の仕様、性能等の情報をソフト的に抽象化してプログラム化した施工データ作成用のＣＤ−ＲＯＭ等の電子ファイルが用いられるが、電子ファイルがない場合には、実機器が必要となる。而して、この場合には、実機器のマイコンにおけるメモリにインプットされている機器の仕様、性能等の情報を読出すことになる。
【００３３】
電子ファイルを用いるときも実機器を用いるときも、一つのフロアに設置される各機器の全ての情報が必要となるわけではなく、例えば、一つのフロアに（ＡＨＵ・１台＋ＶＡＶ・１５台＋ＩＧ・１台）×３系統のシステムが設置される場合、ＡＨＵ・１台、ＶＡＶ・１台、ＩＧ・１台についての電子ファイル若しくは実機器が必要となる。
【００３４】
施工データファイルを作成する場合には、図１２に示すように現場外のパソコン１１に上述の電子ファイルの情報或いは、実機器のマイコンのメモリにインプットされている情報が作業員によりインストールされ、パソコン１１に一つの制御ネットワーク分の雛形が作成される（ステップ（Ｓ２−１））。而して、施工データファイルは、制御ネットワーク１３上のデータ通信、機器２，３，４，８の位置情報すなわちアドレス情報、仮想機器のネットワーク接続情報、制御情報等を含むソフトウエア上の仮想ネットワークファイルを含み、ネットワークデータベースとなる。
【００３５】
仮想ネットワークの制御情報としては、各機器２，３，４，８の制御特性データ（ノードのコミッション）、運転時にどの機器とどの機器２，３，４，８とをソフト上の仮想の端子で接続して運転するか（ネットワーク変数の接続）、機器２，３，４，８の仮想の端子を接続したり切り離したりするか、これらの接続、切り離しの操作を行う際に何回ごとに所定のデータをパソコン１１へ送るか（デバイス、ネットワークの最適化）といったことが挙げられる。
【００３６】
次いで、ステップ（Ｓ２−１）で作成された施工データファイルをパソコン１１のコピー機能を用いコピーして（ステップ（Ｓ２−２））、各フロア毎に新しい施工データファイルを作成し、パソコン１１に保存する。この際、ドメインＩＤは管理台帳５を参照しつつ手入力する。
【００３７】
続いて、現場ではバーコードリーダ１０により、管理台帳５に貼付けてある全てのバーコードシール６ａ，６ａ’（バーコードシール６ａと６ａ’では書込まれている情報が異なる）における実機器特定ＩＤの情報を読取り（ステップ（Ｓ２−３））、読取った全ての情報を現場外のパソコン１１に転送する（ステップ（Ｓ２−４））。なお、バーコードリーダ１０による管理台帳５に貼付けてあるバーコードシール６ａの情報の読取りは、現場で管理台帳５を作成する際に行うようにしても良い。
【００３８】
バーコードリーダ１０で読取られた実機器特定ＩＤの情報が現場外のパソコン１１に転送されると、実機器特定ＩＤの情報は雛形のコピーとして作成された施工データファイルにインプットされ、雛形のコピーとしての施工データファイルに含まれている機器２，３，４，８の仮想の位置情報（平面図アドレス）と機器２，３，４，８の実際の位置情報（実際のアドレス）とが、各機器２，３，４，８の機器特定ＩＤとドメインＩＤにより関連付けられる（ステップ（Ｓ２−５））。
【００３９】
すなわち、パソコン１１に仮想ネットワークが構築されたら、パソコン１１において仮想ネットワークと仮想の機器を線で繋ぐことにより、施工データファイルが作成される。
【００４０】
施工データファイルを制御ネットワーク上にインストールすると、上述のように、仮想ネットワーク上の仮想機器と実ネットワーク上の実機器とが機器特定ＩＤにより関連付けられ、施工データファイル内に記録されている制御内容により実機器が作動可能な状態になる。
【００４１】
以上で施工データファイルの作成が完了するが、完了していない場合は上述の施工データファイルの作成作業を続行する。
【００４２】
ＩＩＩ．制御ネットワークをインストールするステップ（Ｓ３）の詳細な手順（図１３参照）
ステップ（Ｓ２）で施工データファイルが作成されたら、現場のパソコン１２により制御ネットワークのインストールを行う。すなわち、図１３に示すように、現場外のパソコン１１から現場のパソコン１２に施工データファイルを転送し（ステップ（Ｓ３−１））、現場のパソコン１２により施工データファイルをインストールするためのソフトを開く（ステップ（Ｓ３−２））。施工データファイルの転送は適切な通信回線又はＭＯ等の記録媒体による。
【００４３】
続いて、現場のパソコン１２に転送された施工データファイルは現場のパソコン１２に開かれたインストール用のソフトにより読込まれ（ステップ（Ｓ３−３））、読込まれた施工データファイルの制御ネットワーク情報はパソコン１２から制御ネットワーク１３を経由して実際の機器２，３，４，８に転送される（ステップ（Ｓ３−４））。これにより、制御ネットワーク１３及び機器２，３，４，８が稼動し得る状態になる（ステップ（Ｓ３−５））。
【００４４】
ＩＶ．機器の調整運転を行うステップ（Ｓ４）の詳細な手順（図１４参照）
制御ネットワーク１３及び機器２，３，４，８が稼動し得るようになったら、現場のパソコン１１により機器２，３，４，８の調整を開始する。この際には、先ず作業員が調整しようとする機器についての管理台帳５の認識番号に従い、その認識番号が付されている設置済みの所定の機器の下に赴き（ステップ（Ｓ４−１））、機器が正しいアドレスに設置されているかどうか管理台帳５の平面図アドレスにより確認する（ステップ（Ｓ４−２））。
【００４５】
而して、機器が正しいアドレスに設置されている場合には、作業員は現場のパソコン１２により、機器の調整作業を行い（ステップ（Ｓ４−３））、調整終了後、調整した機器に貼付けてあるバーコード６からバーコードシール６ａを１枚剥がし、対応する機器が記載されている管理台帳５の所定の行の下の欄（調整時貼付の欄）に剥がしたバーコードシール６ａを貼付ける（ステップ（Ｓ４−４））。
【００４６】
機器が正しいアドレスに設置されていない場合には、管理台帳５に記載されている平面図アドレスを設置されている機器の実際のアドレスに修正し（ステップ（Ｓ４−５））、然る後、機器の調整作業を行い（ステップ（Ｓ４−３））、調整終了後、調整した機器に貼付けてあるバーコード６からバーコードシール６ａを１枚剥がし、対応する機器が記載されている管理台帳５の所定の行の下の欄（調整時貼付の欄）に剥がしたバーコードシール６ａを貼付ける（ステップ（Ｓ４−４））。而して、上述の手順に従い全ての機器について調整作業を行えば、作業は完了する。なお、管理台帳５の行が異なれば、機器が異なるため、貼付けるバーコードシールは異なる情報が書込まれたバーコードシール６ａ’となる。
【００４７】
本発明の図示例によれば、機器設置位置の施工間違いや機器搬入設置後の施主よりのレイアウト変更等が原因して機器の設置位置が異なり、施工図上の所定位置に予定された機器がない場合でも、機器の調整運転時に管理台帳５の平面図アドレスの修正を行うことができるため、施工された機器の設置位置を正確に把握することができ、従って、その後の機器の調整やメンテナンスを行う際にも便利である。
【００４８】
なお、本発明は、上述の図示例にのみ限定されるものではなく、本発明の要旨を逸脱しない範囲内において種々変更を加え得ることは勿論である。
【００４９】
【発明の効果】
以上、説明したように本発明の請求項１〜３記載の機器の施工方法によれば、機器設置位置の施工間違いや機器搬入設置後の施主よりのレイアウト変更等が原因して機器の設置位置が異なり、施工図上の所定位置に予定された機器がない場合でも、機器の調整運転時に管理台帳の平面的なアドレスの修正を行うことができるため、施工された機器の設置位置を正確に把握することができ、従って、その後の機器の調整やメンテナンスを行う際にも便利である、等優れた効果を奏し得る。
【図面の簡単な説明】
【図１】  本発明の方法を行う際に用いる施工図の平面図である。
【図２】  本発明の方法を行う際に用いる管理台帳の平面図である。
【図３】  本発明の方法を行う際に用いるバーコードの平面図である。
【図４】  本発明の方法を行う際に用いる認識番号用シールの平面図である。
【図５】  本発明の方法において、機器を室内の所定の位置に設置した状態を示す斜視図である。
【図６】  本発明の方法において、バーコードリーダにより管理台帳の各機器に対応した行の上欄に貼付けたバーコードシールの情報を読取る状態を示す斜視図である。
【図７】  本発明の方法において、バーコードリーダで読取られた情報を現場以外の場所、例えば、サポートセンタにあるパソコンに転送する状態を示す斜視図である。
【図８】  本発明の方法において、設置された機器を調整する際に現場のパソコンにより制御ネットワークを介して、設置された各機器に指令を与える状態を示す斜視図である。
【図９】  本発明の方法において、各機器の調整終了後に管理台帳の各機器に対応した下欄に機器の実際の設置位置を特定するためにバーコードシールを貼付けた状態を示す斜視図である。
【図１０】  本発明の方法において、ステップの概要を示すフローチャートである。
【図１１】  本発明の方法において、現場における機器の設置時に管理台帳を作成するステップの詳細な手順を示すフローチャートである。
【図１２】  本発明の方法において、施工データファイルを作成するステップの詳細な手順を示すフローチャートである。
【図１３】  本発明の方法において、制御ネットワークをインストールするステップの詳細な手順を示すフローチャートである。
【図１４】  本発明の方法において、機器の調整運転を行うステップの詳細な手順を示すフローチャートである。
【符号の説明】
１ 施工図
２      機器
３      機器
４      機器
５      管理台帳
６      バーコード
６ａ    バーコードシール
６ａ'  バーコードシール
７ 認識番号用シール
８      機器
１０ バーコードリーダ
１１      パソコン（端末）
１２      パソコン（端末）
Ｓ１      ステップ
Ｓ２      ステップ
Ｓ３      ステップ
Ｓ４      ステップ
【図１】
0004350872.tif 000002
【図２】
0004350872.tif 000003
【図３】
0004350872.tif 000004
【図４】
0004350872.tif 000005
【図５】
0004350872.tif 000006
【図６】
0004350872.tif 000007
【図７】
0004350872.tif 000008
【図８】
0004350872.tif 000009
【図９】
0004350872.tif 000010
【図１０】
0004350872.tif 000011
【図１１】
0004350872.tif 000012
【図１２】
0004350872.tif 000013
【図１３】
0004350872.tif 000014
【図１４】
0004350872.tif 000015